(57)【要約】  インターネット上における相互通信情報のための方法、装置、およびシステムを開示する。本方法は以下のステップを有する。開始者が相互通信情報を開始する必要があることを判定した後、相互通信情報の参加者の連絡先アドレスを入力するよう開始者に促すステップ；電子情報を参加者の連絡先アドレスへ送信するステップ。この電子情報は、相互通信情報本体および参加者を識別するパスコードを含むＵＲＬアドレスを含んでいる。相互通信情報の参加者に対する限定が少なく、相互通信情報の相互性を向上させる、という利点がある。【選択図】図１
2013528298.tif 000002
【特許請求の範囲】
【請求項１】
インターネット上における相互通信情報のための相互通信方法であって、
開始者が前記相互通信情報を開始する必要があることを判定した後、前記相互通信情報の参加者の連絡先アドレスを入力することを前記開始者に促すステップ、
前記参加者の連絡先アドレスへ電子情報を送信するステップであって、前記電子情報は前記相互通信情報および前記参加者を識別するパスコードを含むＵＲＬアドレスを含んでいる、ステップ、
を有することを特徴とする方法。
【請求項２】
前記相互通信情報は、投票情報、日記情報、アルバム情報のいずれかである
ことを特徴とする請求項１記載の方法。
【請求項３】
前記相互通信情報はさらに、
前記参加者の連絡先アドレスを入力することを前記開始者に促すとき、前記開始者の連絡先人物の連絡先アドレスを表示するステップを有する
ことを特徴とする請求項１記載の方法。
【請求項４】
前記連絡先アドレスは、電子メールアドレスまたは携帯電話番号である
ことを特徴とする請求項１から３のいずれか１項記載の方法。
【請求項５】
インターネット上における相互通信情報に参加する方法であって、
前記相互通信情報のコンテンツおよび参加者を識別するパスコードを含むＵＲＬアドレスを含んでいる電子情報を、前記電子情報を受信した後に表示するステップ、
前記ＵＲＬアドレスがクリックされたことを検出した後、前記相互通信情報に対する応答コンテンツを前記参加者からサーバへ送信するステップ、
を有することを特徴とする方法。
【請求項６】
前記方法はさらに、
前記参加者が前記相互通信情報に対する応答を提供し、前記参加者を識別するパスコードを含むＵＲＬアドレスをクリックした後、前記参加者のパスコードを前記サーバへ送信するステップを有する
ことを特徴とする請求項５記載の方法。
【請求項７】
前記応答コンテンツは、選択された投票項目、日記返信情報、アルバムコメントのいずれかである
ことを特徴とする請求項５または６記載の方法。
【請求項８】
インターネット上における相互通信情報を更新する方法であって、
開始者が前記相互通信情報を開始する必要があることを判定した後、前記相互通信情報の参加者の連絡先アドレスを入力することを、開始装置により前記開始者に促すステップ、
前記開始装置により電子情報を前記参加者の連絡先アドレスに送信するステップであって、前記電子情報は前記相互通信情報および前記参加者を識別するパスコードを含むＵＲＬアドレスを含んでいる、ステップ、
参加装置において前記電子情報を受信し、前記参加装置において受信した前記電子情報を表示するステップ、
前記ＵＲＬアドレスがクリックされたことを検出した後、前記相互通信情報に対する応答コンテンツを、前記参加装置により前記参加者からサーバへ送信するステップ、
受信した前記応答に基づき前記相互通信情報を前記サーバにより更新するステップ、
を有することを特徴とする方法。
【請求項９】
前記方法はさらに、
前記参加装置により前記参加者のパスコードを前記サーバへ送信するステップ、
前記参加者が前記相互通信情報に対する応答を提供し、前記参加者を識別するパスコードを含むＵＲＬアドレスをクリックした後、受信した前記参加者のパスコードと前記応答コンテンツに基づき、前記相互通信情報を前記サーバにより更新するステップ、
を有することを特徴とする請求項８記載の方法。
【請求項１０】
前記相互通信情報は、投票情報、日記情報、アルバム情報のいずれかであり、
前記応答コンテンツは、選択された投票項目、日記返信情報、アルバムコメントのいずれかである
ことを特徴とする請求項８または９記載の方法。
【請求項１１】
前記方法はさらに、
前記相互通信情報の参加者の連絡先アドレスを入力することを前記開始装置により前記開始者に促すとき、前記開始者の連絡先人物の連絡先アドレスを前記開始装置により表示するステップを有する
ことを特徴とする請求項８記載の方法。
【請求項１２】
前記連絡先アドレスは、電子メールアドレスまたは携帯電話番号である
ことを特徴とする請求項８または１１記載の方法。
【請求項１３】
インターネット上における相互通信情報のための相互通信装置であって、
開始者が前記相互通信情報を開始する必要があることを判定した後、前記相互通信情報の参加者の連絡先アドレスを入力することを前記開始者に促すように構成されたプロンプト部、
前記参加者の連絡先アドレスへ電子情報を送信するように構成された送信部であって、前記電子情報は前記相互通信情報および前記参加者を識別するパスコードを含むＵＲＬアドレスを含んでいる、送信部、
を備えることを特徴とする装置。
【請求項１４】
前記相互通信情報は、投票情報、日記情報、アルバム情報のいずれかである
ことを特徴とする請求項１３記載の装置。
【請求項１５】
前記装置はさらに、
前記開始者の連絡先人物の連絡先アドレスを表示するように構成された表示部を備える
ことを特徴とする請求項１３記載の装置。
【請求項１６】
前記連絡先アドレスは、電子メールアドレスまたは携帯電話番号である
ことを特徴とする請求項１３から１５のいずれか１項記載の装置。
【請求項１７】
インターネット上における相互通信情報に参加するための装置であって、
電子情報を受信および表示するように構成された表示部であって、前記電子情報は前記相互通信情報のコンテンツおよび参加者を識別するパスコードを含むＵＲＬアドレスを含んでいる、表示部、
前記ＵＲＬアドレスがクリックされたことを検出した後、前記相互通信情報の応答を前記参加者からサーバへ送信するように構成された送信部、
を備えることを特徴とする装置。
【請求項１８】
前記送信部はさらに、
前記参加者が前記相互通信情報に対する応答を提供し、前記参加者を識別するパスコードを含むＵＲＬアドレスをクリックした後、前記参加者のパスコードを前記サーバへ送信するように構成されている
ことを特徴とする請求項１７記載の装置。
【請求項１９】
前記応答のコンテンツは、選択された投票項目、日記返信情報、アルバムコメントのいずれかである
ことを特徴とする請求項１７または１８記載の装置。
【請求項２０】
インターネット上における相互通信情報を更新するためのシステムであって、
開始者が前記相互通信情報を開始する必要があることを判定した後、前記相互通信情報の参加者の連絡先アドレスを入力することを、前記開始者に促すように構成されるとともに、前記相互通信情報および前記参加者を識別するパスコードを含むＵＲＬアドレスを含んでいる電子情報を前記参加者の連絡先アドレスに送信するように構成された開始装置、
前記電子情報を受信および表示するように構成されるとともに、前記ＵＲＬアドレスがクリックされたことを検出した後、前記相互通信情報に対する応答を前記参加者からサーバへ送信するように構成された参加装置、
受信した前記応答に基づき前記相互通信情報を更新するように構成されたサーバ、
を備えることを特徴とするシステム。
【請求項２１】
前記参加装置は、前記参加者が前記相互通信情報に対する応答を提供し、前記参加者を識別するパスコードを含むＵＲＬアドレスをクリックした後、前記参加者のパスコードを前記サーバへ送信し、
前記サーバは、受信した前記参加者のパスコードと前記応答のコンテンツに基づき、前記相互通信情報を更新する
ことを特徴とする請求項２０記載のシステム。
【請求項２２】
前記相互通信情報は、投票情報、日記情報、アルバム情報のいずれかであり、
前記応答のコンテンツは、選択された投票項目、日記返信情報、アルバムコメントのいずれかである
ことを特徴とする請求項２０または２１記載のシステム。
【請求項２３】
前記開始装置は、前記相互通信情報の参加者の連絡先アドレスを入力することを前記開始者に促すとき、前記開始者の連絡先人物の連絡先アドレスを表示するように構成されている
ことを特徴とする請求項２０記載のシステム。
【請求項２４】
前記連絡先アドレスは、電子メールアドレスまたは携帯電話番号である
ことを特徴とする請求項２０または２３記載のシステム。
【発明の詳細な説明】
【技術分野】
【０００１】
本発明は、インターネット技術の分野に関し、特にインターネット上における相互通信情報のための相互通信方法、装置およびシステムに関する。
【背景技術】
【０００２】
インターネット技術の発展にともない、より多くのユーザがインターネットを介して互いに通信するようになっている。現存するインターネット上における相互通信情報のための相互通信方法は、相互通信情報に対応するインターフェース内でユーザがそのインターフェースに入力した後に当該相互通信情報の交換が実施される、というものである。相互通信情報は例えば、投票、日記、アルバム、などである。
【０００３】
しかし、従来技術は以下の課題がある。
【０００４】
ユーザは、相互通信情報を交換するとき、相互通信情報に対応するインターフェースに入力する必要がある。したがって、相互通信の参加者は、当該相互通信情報に関連するｗｅｂサイト内の登録されたユーザに限定される。
【発明の概要】
【発明が解決しようとする課題】
【０００５】
したがって、本発明の目的は、インターネット上で相互通信情報を送信し、受信し、更新する方法とシステムを提供することである。
【課題を解決するための手段】
【０００６】
本発明の１側面によれば、インターネット上における相互通信情報のための相互通信方法は、以下のステップを有する：
開始者が前記相互通信情報を開始する必要があることを判定した後、前記相互通信情報の参加者の連絡先アドレスを入力することを前記開始者に促すステップ、
前記参加者の連絡先アドレスへ電子情報を送信するステップであって、前記電子情報は前記相互通信情報および前記参加者を識別するパスコードを含むＵＲＬアドレスを含んでいる、ステップ。
【０００７】
本発明の別側面によれば、インターネット上における相互通信情報に参加する方法は、以下のステップを有する：
前記相互通信情報のコンテンツおよび参加者を識別するパスコードを含むＵＲＬアドレスを含んでいる電子情報を、前記電子情報を受信した後に表示するステップ、
前記ＵＲＬアドレスがクリックされたことを検出した後、前記相互通信情報に対する応答コンテンツを前記参加者からサーバへ送信するステップ。
【０００８】
本発明の別側面によれば、インターネット上における相互通信情報を更新する方法は、以下のステップを有する：
開始者が前記相互通信情報を開始する必要があることを判定した後、前記相互通信情報の参加者の連絡先アドレスを入力することを、開始装置により前記開始者に促すステップ、
前記開始装置により電子情報を前記参加者の連絡先アドレスに送信するステップであって、前記電子情報は前記相互通信情報および前記参加者を識別するパスコードを含むＵＲＬアドレスを含んでいる、ステップ、
参加装置において前記電子情報を受信し、前記参加装置において受信した前記電子情報を表示するステップ、
前記ＵＲＬアドレスがクリックされたことを検出した後、前記相互通信情報に対する応答コンテンツを、前記参加装置により前記参加者からサーバへ送信するステップ、
受信した前記応答に基づき前記相互通信情報を前記サーバにより更新するステップ。
【０００９】
本発明の別側面によれば、インターネット上における相互通信情報のための相互通信装置は、
開始者が前記相互通信情報を開始する必要があることを判定した後、前記相互通信情報の参加者の連絡先アドレスを入力することを前記開始者に促すように構成されたプロンプト部、
前記参加者の連絡先アドレスへ電子情報を送信するように構成された送信部であって、前記電子情報は前記相互通信情報および前記参加者を識別するパスコードを含むＵＲＬアドレスを含んでいる、送信部、
を備える。
【００１０】
本発明の別側面によれば、インターネット上における相互通信情報に参加するための装置は、
電子情報を受信および表示するように構成された表示部であって、前記電子情報は前記相互通信情報のコンテンツおよび参加者を識別するパスコードを含むＵＲＬアドレスを含んでいる、表示部、
前記ＵＲＬアドレスがクリックされたことを検出した後、前記相互通信情報の応答を前記参加者からサーバへ送信するように構成された送信部、
を備える。
【００１１】
本発明の別側面によれば、インターネット上における相互通信情報を更新するためのシステムは、
開始者が前記相互通信情報を開始する必要があることを判定した後、前記相互通信情報の参加者の連絡先アドレスを入力することを、前記開始者に促すように構成されるとともに、前記相互通信情報および前記参加者を識別するパスコードを含むＵＲＬアドレスを含んでいる電子情報を前記参加者の連絡先アドレスに送信するように構成された開始装置、
前記電子情報を受信および表示するように構成されるとともに、前記ＵＲＬアドレスがクリックされたことを検出した後、前記相互通信情報に対する応答を前記参加者からサーバへ送信するように構成された参加装置、
受信した前記応答に基づき前記相互通信情報を更新するように構成されたサーバ、
を備える。
【発明の効果】
【００１２】
従来技術と比較して、本発明は以下の利点を有する：本発明において、相互通信情報を交換するため、電子情報は参加者の連絡先アドレスへ送信される。したがって相互通信の参加者は、当該相互通信情報に関連するｗｅｂサイト内の登録されたユーザに限定されない。すなわち、本発明においては、相互通信情報の参加者についての制約が少なく、相互通信情報の相互性を向上させることができる。
【図面の簡単な説明】
【００１３】
【図１】インターネット上で相互通信情報を送信する方法のフローチャートである。
【図２】実施形態１に係る、インターネット上で相互通信情報を送信する方法のフローチャートである。
【図３】実施形態２に基づき受信した電子メールの特定コンテンツを例示する図である。
【図４】実施形態２に係る、インターネット上の相互通信情報に参加する方法のフローチャートである。
【図５】実施形態３に係る、相互通信情報を更新する方法のフローチャートである。
【図６】実施形態４に係る、相互通信情報をフローチャートである。
【図７】本発明の実施形態に係る、相互通信情報を送信する装置の構造図である。
【図８】本発明の実施形態に係る、相互通信情報に参加する装置の構造図である。
【図９】本発明の実施形態に係る、相互通信情報を更新する装置の構造図である。
【図１０】実施形態５に係る、相互通信情報を更新する方法のフローチャートである。
【図１１】実施形態２に基づき電子メールを介して投票するシナリオである。
【図１２】実施形態２に基づき投票が成功したシナリオである。
【発明を実施するための形態】
【００１４】
本発明の目的、解決手段、効果は、添付する図面と実施形態の説明により明らかになるであろう。これら全ての実施形態は、本発明を限定するためのものではなく、説明目的を意図したものである。
【００１５】
インターネット上における相互通信情報のための相互通信方法は、開始装置によって実装される。この開始装置は、例えばコンピュータ、モバイル端末、ＰＤＡ、などである。図１に示すように、相互通信方法は、以下のステップを有する。
【００１６】
Ｓ１１：開始者が相互通信情報を介しする必要があると認めるとき、開始装置は、開始者に相互通信情報の参加者の連絡先アドレスを入力するよう促す。
【００１７】
連絡先アドレスは、例えば電子メールアドレスである。この連絡先アドレスは、例えば携帯電話番号その他の相互通信情報を受信し得るアドレスであってもよい。
【００１８】
Ｓ１２：開始装置は、参加者の連絡先アドレスへ、相互通信情報のコンテンツおよび当該参加者を識別するパスコードをともなうＵＲＬアドレスを含む電子情報を送信する。
【００１９】
電子情報は、例えば連絡先アドレスが電子メールアドレスであれば電子メールであり、連絡先アドレスが携帯電話番号であればテキストメッセージまたはマルチメディアメッセージである。
【００２０】
パスコードはパスワードの形態によるＩＤであってもよいことを強調しておく。このＩＤは、参加者を識別するためのものであり、具体的な形態としては例えばＵＲＬアドレスである。
【００２１】
ＵＲＬアドレスは、開始装置が電子情報を送信するときに自動生成されたＵＲＬアドレスであってもよいことを強調しておく。ＵＲＬアドレスは、電子情報に挿入され、その後に送信される。
【００２２】
Ｓ１１以降の方法はさらに、開始者の連絡先人物の連絡先アドレスを表示するステップを有することを強調しておく。
【００２３】
相互通信情報は、例えば投票、日記、アルバム、などである。
【００２４】
本実施形態で開示する方法において、電子情報を開始者の連絡先人物の連絡先アドレスへ送信することにより投票が完了する。本方法は、連絡先人物の連絡先アドレスについて何らの制約もない。したがって、本方法が相互通信を実施するとき、参加者は投票を取り纏めるｗｅｂサイト内の登録されたユーザである必要はない。したがって本方法は、参加者の範囲を拡張し、拡張された投票範囲によって特徴付けられる。
【００２５】
＜実施形態１＞
本実施形態は、インターネット上で相互通信情報を送信する方法を提供する。本実施形態を実装し得る技術環境は、以下の通りである。本実施形態において提供する方法は、装置がインターネットにアクセスできるのであれば、コンピュータによって実行されるか、またはモバイル端末もしくはＰＤＡ端末によって実環境内で実行される。本実施形態において、相互通信情報は例えば投票情報であり、連絡先アドレスは例えば電子メールアドレスであり、実環境においては相互通信情報はたとえば日記やアルバムのようなその他のタイプの情報である。１シナリオ例において、ユーザ１は投票の開始者である。ユーザ１は、例えばＱｚｏｎｅのようなｗｅｂサイトを介して、投票参加者の電子メールアドレスを用いて投票を開始する。参加者Ａの電子メールアドレスは１２３＠１３９．ｃｏｍであり、参加者Ｂの電子メールアドレスは４５６＠ＭＳＮ．ｃｏｍである。図２に示す、本発明において提供する方法は、以下のステップを有する。
【００２６】
Ｓ２１において、投票を開始する必要を認めたとき、開始装置はユーザ１へ投票参加者の電子メールアドレスを入力するよう促す。
【００２７】
以下の例は、Ｓ２１がどのように実装されるかを示すために用いる。ユーザ１がＱｚｏｎｅ投票セクションのインターフェースに入力したことを開始装置が検出し、ユーザ１が開始または編集した投票情報を開始装置が受信した後、開始装置はユーザ１が投票を開始する必要があることを確認することができる。開始装置は、電子メールを入力するインターフェースをユーザ１へ表示する。電子メールアドレスを入力するためのインターフェースがユーザ１へ表示されると、ユーザ１の連絡先人物の氏名と電子メールアドレスも表示される。１例において、ユーザ１の連絡先人物の氏名と電子メールアドレスは、電子メール入力インターフェース内に表示することができる。別例において、ユーザ１の連絡先人物の氏名と電子メールアドレスは、別のインターフェース（連絡先人物インターフェース）として生成することができる。このインターフェースは、電子メール入力インターフェースの横に表示することができる。その他形態の生成および表示インターフェースを用いることもできる。本発明は、連絡先人物の氏名と電子メールアドレスの例によって限定されるものではない。
【００２８】
Ｓ２２において、開始装置は、投票コンテンツと参加者のパスコードを含むＵＲＬアドレスを、参加者の電子メールアドレスへ電子メールによって送信する。
【００２９】
Ｓ２１は、以下のように実装することができる。ユーザ１が入力した参加者Ａと参加者Ｂの電子メールアドレスを開始装置が受信した後、開始装置は投票コンテンツを１２３＠１３９．ｃｏｍへ電子メールにより送信する。この電子メールは、参加者Ａを識別するパスコードをともなうＵＲＬアドレスを含む。一方、開始装置は投票コンテンツを４５６＠ＭＳＮ．ｃｏｍへ電子メールにより送信する。この電子メールは、参加者Ｂを識別する別のパスコードをともなうＵＲＬアドレスを含む。
【００３０】
連絡先アドレスが携帯電話番号である場合、連絡先アドレスは連絡先人物の携帯電話番号であってもよいことを強調しておく。この場合、上記方法は、Ｓ２１の実施形態において電子メールアドレスを携帯電話番号に変更し、Ｓ２２において電子メールアドレスを携帯電話のテキストメッセージまたはマルチメディアメッセージへ変更し、Ｓ２２において電子メールを携帯電話番号に置き換えることによって修正される。
【００３１】
投票相互通信を実施する際に本発明に係る方法を用いる場合、参加者Ａと参加者ＢはＱＱユーザである必要はない。参加者Ａと参加者Ｂは、自身の連絡先情報を有していることのみが必要である。本例においては、各自の電子メールアドレスである。他例において、本実施形態の参加者Ａと参加者Ｂは、投票を取り纏めるｗｅｂサイトの登録ユーザではない（参加者Ａは１３９のユーザであり、参加者ＢはＭＳＮのユーザであり、いずれもＱｚｏｎｅのユーザではない）。したがって、本方法は参加者の範囲を拡張し、拡張された投票範囲によって特徴付けられる。
【００３２】
＜実施形態２＞
本実施形態においては、インターネット上において相互通信情報に参加する方法を提供する。本実施形態を実装する技術環境は、以下の通りである。本実施形態に係る方法は、参加者の操作デバイスによって実行される。この操作デバイスは、例えばコンピュータ、モバイル端末、ＰＤＡなどである。図４に示す本実施形態に係る方法は、以下のステップを有する。
【００３３】
Ｓ４１において、参加者が電子情報を開封すると、操作デバイスはその電子情報を参加者に表示する。電子情報は、相互通信情報のコンテンツおよび参加者を識別するパスコードをともなうＵＲＬアドレスを含む。
【００３４】
Ｓ４２において、参加者が相互通信情報に対する応答を提供し、ＵＲＬアドレスをクリックすると、相互通信情報に対する応答のコンテンツが操作デバイスによってサーバへ送信される。
【００３５】
参加者がＵＲＬアドレスをクリックし、相互通信情報の応答コンテンツがサーバへ送信された後、当該参加者の投票が成功した旨を示すインターフェースおよび投票結果を表示することができることを強調しておく。図１２は、投票成功の旨と投票結果を示すインターフェースの例を示す。
【００３６】
電子情報の形態とタイプの例については、Ｓ１２の説明を参照されたい。
【００３７】
受信した電子メールの詳細コンテンツを、図３の電子メール例に示す。図３に示すリンクは、ＵＲＬアドレスである。参加者が投票に対する応答を提供し、当該参加者を識別するパスコードを含むＵＲＬアドレスをクリックすると、参加者のパスコードがサーバへ送信される。参加者のパスコードを受信した後、サーバは応答コンテンツと参加者のパスコードにしたがって投票情報を更新する。例えば、図１１は電子メールによる投票の例示イメージを示す。
【００３８】
相互通信情報の様々な形態に応じて、応答コンテンツが異なることに留意されたい。例えば、相互通信情報が投票である場合、相互通信情報に対する応答コンテンツは選択した投票項目である。相互通信情報がアルバムである場合、相互通信情報に対する応答コンテンツはアルバムに対するコメントである。相互通信情報が日記である場合、相互通信情報に対する応答コンテンツは日記に対する返信である。
【００３９】
本実施形態において提供する方法は、相互通信情報とＵＲＬを含む電子情報を受信し、参加者が電子情報を開封した後にその電子情報を表示し、参加者が相互通信情報に対する応答を提供しＵＲＬアドレスをクリックするとその応答コンテンツをサーバへ送信する。サーバは、投票情報を更新し、応答コンテンツを受信した後に投票プロセスを完了する。
【００４０】
＜実施形態３＞
本実施形態においては、相互通信情報を更新する方法を提供する。図５に示す本方法は以下のステップを含む。
【００４１】
Ｓ５１において、開始者が相互通信情報を開始する必要があることを開始装置が確認すると、開始装置はユーザＡに対して相互通信情報の参加者の連絡先アドレスを入力することを促す。
【００４２】
Ｓ５２において、開始装置は、相互通信情報のコンテンツおよびパスコードを参加者を識別するパスコードをともなうＵＲＬアドレスを含む電子情報を、参加者の連絡先アドレスへ送信する。
【００４３】
Ｓ５３において、電子情報が開封された後、参加装置は相互通信情報のコンテンツおよび参加者のパスコードをともなうＵＲＬアドレスを含む電子情報を表示する。
【００４４】
Ｓ５４において、参加者が相互通信情報に対する応答を入力し、ＵＲＬアドレスをクリックした後、参加装置は応答コンテンツをサーバへ送信する。
【００４５】
Ｓ５５において、サーバは応答コンテンツに基づき相互通信情報を更新する。
【００４６】
１実施形態において、参加者が相互通信情報コンテンツに対して応答を提供し、当該参加者のパスコードを含むＵＲＬアドレスをクリックした後、参加装置はさらに、参加者のパスコードをサーバへ送信する。サーバは参加者のパスコードを受信し、その参加者のパスコードと応答コンテンツに基づき、相互通信情報を更新する。
【００４７】
上述の連絡先アドレスは、電子メールアドレスまたは携帯電話番号であってもよいことに留意されたい。連絡先人物のアドレスが電子メールアドレスである場合、電子情報は電子メールである。連絡先アドレスが携帯電話番号である場合、電子情報はテキストメッセージまたはマルチメディアメッセージである。
【００４８】
相互通信情報の様々な形態に基づき、相互通信情報に対する応答コンテンツが異なることに留意されたい。例えば、相互通信情報が投票である場合、応答コンテンツは選択した投票項目である。相互通信情報がアルバムである場合、応答コンテンツはアルバムに対するコメントである。相互通信情報が日記である場合、相互通信情報コンテンツは日記に対する返信である。
【００４９】
本実施形態において開示する方法は、電子情報の形態で相互通信を実施する。したがって、相互通信情報の交換が本実施形態に係る方法に基づき実施される場合、参加者は投票を取り纏めるｗｅｂサイトのユーザである必要はない。すなわち本方法は、参加者の範囲を拡張することにより、投票の範囲を拡張する。
【００５０】
＜実施形態４＞
本実施形態においては、相互通信情報を更新する方法を提供する。ユーザＡ、ユーザＢ、ユーザＣによる投票の例を用いて、本実施形態に基づく例示シナリオを説明する。ユーザＡは、ソーシャルネットワークｗｅｂサイトＱｚｏｎｅのユーザおよびＱｚｏｎｅに対応するインスタントメッセンジャー（ＱＱ）のユーザであるものと仮定する。ユーザＢは、ユーザＡの連絡先人物であり、インスタントメッセンジャーＱＱを介して連絡することができる。ユーザＣは、ユーザＡの連絡先人物ではない。このシナリオにおいて、ユーザＡ、Ｂ、Ｃが使用するコンピュータは、それぞれコンピュータＡ、コンピュータＢ、コンピュータＣであるものとする。図６に示す方法は、以下のステップを有する。
【００５１】
Ｓ６１において、コンピュータＡはユーザＡがＱｚｏｎｅにログインして投票を開始する必要があることを確認し、投票ｗｅｂページ上で、投票を開始する電子メールを記入するよう促すプロンプトを表示する。また、ユーザＢの電子メールを表示する。
【００５２】
Ｓ６２において、ユーザＡはユーザＢの電子メールを選択し、ユーザＣの電子メールに記入する。コンピュータＡは、投票コンテンツをユーザＢとユーザＣの電子メールアドレスへ送信する。
【００５３】
上述の電子メールはさらに、参加者のパスコードをともなうＵＲＬアドレスを含むことを強調しておく。参加者がユーザＢである場合、ユーザＢのパスコードをともなうＵＲＬアドレスを含む。参加者がユーザＣである場合、ユーザＣのパスコードをともなうＵＲＬアドレスを含む。パスコードをともなうＵＲＬアドレスを用いて、ユーザがこれをクリックしたときに当該ユーザを一意に認識する。例えば、ユーザＣが受信した電子メールのパスコードをともなうＵＲＬアドレスをクリックすると、ユーザＣを一意に認識することができる。
【００５４】
Ｓ６３において、コンピュータＢおよび／またはコンピュータＣは、ユーザＢとユーザＣがそれぞれの電子メールを開封するとその電子メールを表示する。ユーザＢおよび／またはユーザＣが、投票コンテンツの投票項目のなかからそれぞれの選択をした後にＵＲＬアドレスをクリックすると、コンピュータＢおよび／またはコンピュータＣは選択された投票項目をサーバへ送信する。
【００５５】
Ｓ６４において、サーバは受信した投票項目に基づき投票結果を更新する。
【００５６】
本実施形態において開示する方法は、電子メールにより投票相互通信を実施する。したがって、参加者は投票を取り纏めるｗｅｂサイトのユーザである必要はない。すなわち、本方法は参加者の範囲を拡張し、これにより投票範囲を拡張する。
【００５７】
＜実施形態５＞
本実施形態は、相互通信情報を更新する方法を提供する。本実施形態に係る例示シナリオを、ユーザＡ、ユーザＢ、ユーザＣによる投票を例にして説明する。ユーザＡは、ソーシャルネットワークｗｅｂサイトＱｚｏｎｅのユーザおよびＱｚｏｎｅに対応するインスタントメッセンジャー（ＱＱ）のユーザであるものと仮定する。ユーザＢは、ユーザＡのＱＱによって連絡することができるユーザＡの連絡先人物であり、ユーザＢの連絡先アドレスは電子メールアドレスである。ユーザＣはユーザＡの連絡先人物ではなく、ユーザＣの連絡先アドレスは携帯電話番号である。このシナリオにおいて、ユーザＡ、Ｂ、Ｃが使用するコンピュータは、それぞれコンピュータＡ、コンピュータＢ、コンピュータＣであるものとする。本実施形態において、ユーザＣに送信したマルチメディアメッセージを例として用いる。実環境においては、マルチメディアメッセージはテキストメッセージであってもよい。図１０に示す方法は、以下のステップを有する。
【００５８】
Ｓ１０１において、コンピュータＡはユーザＡがＱｚｏｎｅにログインして投票を開始する必要があることを確認し、電子メール記入プロンプトとユーザＢの電子メールアドレスを投票ｗｅｂサイト上で表示する。
【００５９】
Ｓ１０２において、ユーザＡはユーザＢの電子メールを選択し、ユーザＣの携帯電話番号を記入する。コンピュータＡは、投票コンテンツを含む電子メールをユーザＢの電子メールアドレスへ送信し、投票コンテンツを含むマルチメディアメッセージをユーザＣの携帯電話番号へ送信する。
【００６０】
上述の電子メールはさらに、参加者ＢのパスコードをともなうＵＲＬアドレスを含むことに留意されたい。マルチメディアメッセージは、参加者ＣのパスコードをともなうＵＲＬアドレスを含む。
【００６１】
Ｓ１０３において、ユーザＢが電子メールを開封すると、コンピュータＢは電子メールを表示する。ユーザＢが投票コンテンツの投票項目のなかから選択した後にＵＲＬアドレスをクリックすると、コンピュータＢは選択された投票項目をサーバへ送信する。
【００６２】
Ｓ１０４において、ユーザＣがマルチメディアメッセージを開封すると、コンピュータＣはマルチメディアメッセージを表示する。ユーザＣが投票コンテンツの投票項目のなかから選択した後にＵＲＬアドレスをクリックすると、モバイル端末Ｃは選択された投票項目をサーバへ送信する。
【００６３】
Ｓ１０５において、サーバは受信した投票項目に基づき投票結果を更新する。
【００６４】
本実施形態において開示する方法は、電子メールとマルチメディアメッセージにより投票相互通信を実施する。よって参加者は、投票イベントを取り纏めるｗｅｂサイトのユーザである必要はない。すなわち、本方法は参加者の範囲を拡張し、同様に投票範囲を拡張する。
【００６５】
Ｓ１０３とＳ１０４の実行順は、上述した特定の順序に限定されるものではないことに留意されたい。代わりに、これらステップをランダム順で実施することもできる。すなわち、Ｓ１０３をＳ１０４の後に実施することもできるし、Ｓ１０４と同時に実施することもできる。
【００６６】
本発明はさらに、インターネット上で相互通信情報をやり取りするための相互通信装置を提供する。本装置は、単独で動作することもできるし、コンピュータ、モバイル端末、またはＰＤＡ内に備え付けることもできる。図７に示すように、相互通信装置は以下の構成要素を備える。
【００６７】
相互通信装置は、プロンプト部７１を備える。プロンプト部７１は、ユーザ開始者が相互通信情報を開始する必要があることを確認すると、相互通信情報の参加者の連絡先アドレスを入力するようユーザ開始者に促すように構成されている。
【００６８】
相互通信装置は、送信部７２を備えることができる。送信部７２は、参加者の連絡先アドレスへ、相互通信情報のコンテンツおよび参加者のパスコードをともなうＵＲＬアドレスを含む電子情報を送信するように構成されている。
【００６９】
オプションとして、上記装置はさらに、表示部７３を備えることができる。表示部７３は、ユーザ開始者の連絡先人物の連絡先アドレスを表示するように構成されている。
【００７０】
上記連絡先アドレスと電子情報は、先に説明した実施形態における態様を取ることができる。
【００７１】
本実施形態におけるインターネット上の相互通信情報の開始装置は、電子情報によって相互通信情報を送信する。したがって、参加者は投票イベントを保持するｗｅｂサイトのユーザである必要はない。すなわち、本方法は参加者の範囲を拡張するとともに、投票範囲を拡張する。
【００７２】
本発明はさらに、インターネット上における相互通信情報のための参加装置を提供する。本装置は、単独で動作することもできるし、コンピュータ、モバイル端末、またはＰＤＡ内に備え付けることもできる。図８に示すように、本装置は以下の構成要素を備える。
【００７３】
参加装置は、表示部８１を備えることができる。表示部８１は、参加者が電子情報を開封した後に、相互通信情報のコンテンツおよび参加者のパスコードをともなうＵＲＬアドレスを含む電子情報を表示するように構成されている。
【００７４】
参加装置は、送信部８２を備えることもできる。送信部８２は、参加者が相互通信情報に対して応答を提供し、ＵＲＬアドレスをクリックした後、相互通信情報の応答コンテンツをサーバへ送信するように構成されている。
【００７５】
送信部８２はさらに、参加者が相互通信情報に対する応答を提供し、参加者のパスコードをともなうＵＲＬアドレスをクリックした後、参加者のパスコードをサーバへ送信するように構成されている。
【００７６】
本実施形態における、インターネット上の相互通信情報のための参加装置は、電子情報により相互通信情報を交換する。したがって、参加者は投票イベントを保持するｗｅｂサイトのユーザである必要はない。すなわち、本方法は参加者の範囲と投票範囲を拡張する。
【００７７】
本発明はさらに、インターネット上の相互通信情報を更新するシステムを提供する。図９に示すように、本システムは、開始装置９１、参加装置９２、サーバ９３を備える。
【００７８】
開始装置９１は、相互通信情報の参加者の連絡先アドレスを入力するようユーザ開始者に促す。開始者が相互通信情報を開始する必要があることを確認すると、開始装置９１は参加者の連絡先アドレスへ、相互通信情報のコンテンツおよび参加者のパスコードをともなうＵＲＬアドレスを含む電子情報を送信する。
【００７９】
参加者が電子情報を開封すると、参加装置９２は相互通信情報のコンテンツおよび参加者のパスコードをともなうＵＲＬアドレスを含む電子情報を表示する。参加者が相互通信情報に対する応答を提供し、ＵＲＬアドレスをクリックした後、参加装置９２は相互通信情報の応答コンテンツをサーバへ送信する。
【００８０】
サーバ９３は、受信した応答コンテンツに基づき相互通信情報を更新する。
【００８１】
１実施形態において、参加者が相互通信情報に対する応答を提供し、参加者のパスコードをともなうＵＲＬアドレスをクリックした後、参加装置９２は参加者のパスコードをサーバ９３へ送信する。サーバ９３は、受信した参加者のパスコードおよび応答コンテンツに基づき、相互通信情報を更新する。
【００８２】
本実施形態において提供するシステムは、電子情報を介して相互通信情報を交換する。したがって、参加者は投票イベントを保持するｗｅｂサイトのユーザである必要はない。すなわち、本方法は参加者の範囲と投票範囲を拡張する。
【００８３】
上記システムの実施形態において、各部は論理的機能に基づき分離されている。しかし、上記分離形態は本発明をこれに限定する意図ではなく、各機能を実現することができる限りその他の分離形態も可能である。さらに、機能部の名称はこれら機能部を識別するためにのみ用いるものであり、本発明の範囲を限定する意図ではない。
【００８４】
また、上記実施形態における方法の全ステップまたは一部のステップは、対応するハードウェアに対して命令するプログラムによって実現できることを、当業者は理解するであろう。このプログラムは、コンピュータ読取可能媒体に格納することができる。この記憶媒体は、読取専用メモリ、磁気ディスク、またはＣＤ−ＲＯＭなどであってもよい。
【００８５】
最後に、本発明に夜技術的解決手段は、参加者の範囲を拡張する。
【００８６】
上記本発明の実施形態は、特に望ましい実施形態であり、可能な実装例に過ぎないことを強調しておく。本発明の原理原則から逸脱することなく、上記本発明の実施形態に対して、多くの変形や修正をなすことができる。このような修正や変形は、本開示の範囲に含まれることを意図している。
【図１】
2013528298.tif 000003
【図２】
2013528298.tif 000004
【図３】
2013528298.tif 000005
【図４】
2013528298.tif 000006
【図５】
2013528298.tif 000007
【図６】
2013528298.tif 000008
【図７】
2013528298.tif 000009
【図８】
2013528298.tif 000010
【図９】
2013528298.tif 000011
【図１０】
2013528298.tif 000012
【図１１】
2013528298.tif 000013
【図１２】
2013528298.tif 000014
【国際調査報告】
2013528298.tif 000015
2013528298.tif 000016
2013528298.tif 000017
2013528298.tif 000018